(57)【要約】【課題】カメラとディスプレイを備える電子機器において、プライベート画像の流出を抑止して、IoTにおけるセキュリティ対策を強化すること、ディスプレイの狭額縁化を可能にし、ディスプレイの表示画面を可能な限り大きくすること。【解決手段】電子機器は、カメラとディスプレイを備えた電子機器であって、レンズ開口を一方向に向けたカメラユニットと、ディスプレイの背面側を覆うバックカバーとを備え、前記カメラユニットを、前記バックカバーに設け、前記バックカバーから突出した状態と前記ディスプレイの背面側に収納した状態とに回動自在に支持した。【選択図】図１
2020160317.tif 000002
【特許請求の範囲】
【請求項１】
カメラとディスプレイを備えた電子機器であって、
レンズ開口を一方向に向けたカメラユニットと、
ディスプレイの背面側を覆うバックカバーとを備え、
前記カメラユニットを、前記バックカバーに設け、前記バックカバーから突出した状態と前記ディスプレイの背面側に収納した状態とに回動自在に支持したことを特徴とした電子機器。
【請求項２】
前記カメラユニットがバックカバーから突出した状態では、前記レンズ開口は、前記ディスプレイの表示方向に向いていることを特徴とする請求項１記載の電子機器。
【請求項３】
前記バックカバーには、前記カメラユニットを収容する凹部が設けられていることを特徴とする請求項１又は２記載の電子機器。
【請求項４】
前記カメラユニットを回転自在に支持する回転軸は、前記ディスプレイの矩形状の表示面の一辺と平行に配置され、前記一辺が前記回転軸よりも外側に配置されていることを特徴とする請求項１〜３のいずれか１項記載の電子機器。
【請求項５】
前記カメラユニットを回動する駆動部を備え、
前記駆動部は、電子機器のスリープ動作に連動して前記カメラユニットを前記ディスプレイの背面側に収納することを特徴とする請求項１〜４のいずれか１項記載の電子機器。
【発明の詳細な説明】
【技術分野】
【０００１】
本発明は、カメラとディスプレイを備えた電子機器に関するものである。
【背景技術】
【０００２】
近年の電子機器は、取得した画像を処理・保存・送信する機能を備えるものが多く、画像取得のためにカメラを備えるものが一般化している。カメラを備える電子機器は、一般に、レンズとイメージセンサを具備するカメラモジュールが電子機器の筐体内に配置されており、電子機器の筐体に形成された開口部からレンズが露出する状態になっている（下記特許文献１参照）。
【先行技術文献】
【特許文献】
【０００３】
【特許文献１】国際公開ＷＯ２０１５／０４１０６６号公報
【発明の概要】
【発明が解決しようとする課題】
【０００４】
近年の電子機器は、「IoT：Internet of Things（モノのインターネット）」という言葉で表現されているように、ネットワークに接続された状態で使用するものが多くなっている。IoTにおいて、電子機器は、常にクラッキング（悪意のあるハッキング）やサイバー攻撃の危機に曝されていると言え、そのためのセキュリティ対策が不可欠になっている。
【０００５】
カメラを備える電子機器は、前述したように、カメラに光を取り込むレンズ開口が常に開放された状態になっているので、IoTにおいて、悪意の外部操作でカメラ機能が作動されると、プライベート画像が流出すると言った問題が生じる。
【０００６】
また、ディスプレイを備える電子機器は、ディスプレイの周辺スペースにカメラが配置されており、カメラにおけるレンズ開口の位置もディスプレイ周囲の額縁部分に設けられている。これによると、カメラの配置スペースやレンズ開口の位置を考慮すると、ディスプレイの周囲を狭額縁化してディスプレイの表示画面を可能な限り大きくすることができない問題があった。
【０００７】
本発明は、このような問題に対処するために提案されたものである。すなわち、カメラとディスプレイを備える電子機器において、プライベート画像の流出を抑止して、IoTにおけるセキュリティ対策を強化すること、ディスプレイの狭額縁化を可能にし、ディスプレイの表示画面を可能な限り大きくすること、などを課題としている。
【課題を解決するための手段】
【０００８】
このような課題を解決するために、本発明は、以下の構成を具備するものである。
カメラとディスプレイを備えた電子機器であって、レンズ開口を一方向に向けたカメラユニットと、ディスプレイの背面側を覆うバックカバーとを備え、前記カメラユニットを、前記バックカバーに設け、前記バックカバーから突出した状態と前記ディスプレイの背面側に収納した状態とに回動自在に支持したことを特徴とした電子機器。
【図面の簡単な説明】
【０００９】
【図１】本発明の実施形態に係る電子機器を示した説明図（（ａ）が正面図、（ｂ）が背面図）。
【図２】本発明の実施形態に係る電子機のカメラユニットを示した説明図（（ａ）がカメラユニットを突出させた状態、（ｂ）がカメラユニットを収納した状態）。
【図３】図２（ａ）におけるＸ−Ｘ断面図。
【発明を実施するための形態】
【００１０】
以下、図面を参照して本発明の実施形態を説明する。以下の説明で、異なる図における同一符号は同一機能の部位を示しており、各図における重複説明は適宜省略する。
【００１１】
図１に示すように、電子機器１は、カメラ（カメラユニット２）とディスプレイ３を備えている。カメラユニット２は、内部に撮像素子とレンズ光学系を備えるカメラモジュールが収容されており、レンズ開口２Ａが一方向に向いて開口している。ディスプレイ３は、周囲が額縁枠４によって囲われており、ディスプレイ３の背面側はバックカバー５で覆われている。図１においては、電子機器１の一例として、ノート型のＰＣ（Personal Computer）が示しているが、電子機器１としては、カメラとディスプレイを備えるものであればどのようなものであってもよい。
【００１２】
カメラユニット２は、図２及び図３に示すように、バックカバー５に設けられている。バックカバー５には、図２（ａ）及び図３に示すように、カメラユニット２をバックカバー５から突出した状態と、図２（ｂ）に示すように、ディスプレイ３の背面側に収納した状態とに回動自在に支持する回転軸６が設けられている。
【００１３】
カメラユニット２の回動は、図示の例では、駆動部である駆動モータ７により電動で駆動される。駆動モータ７は、駆動ギア７Ａをカメラユニット２の被駆動ギア２Ｂに噛み合わせることで、カメラユニット２を回転軸６の周りに回動させる。図示の例では、駆動部を設けているが、手動で回転軸６の周りにカメラユニット２を回動するようにしてもよい。
【００１４】
バックカバー５には、立体的な凹部５Ａが設けられており、この凹部５Ａ内にカメラユニット２が収納される。カメラユニット２は、図２（ａ）に示すように、バックカバー５から突出している状態では、レンズ開口２Ａがディスプレイ３の表示方向に向いており、図２（ｂ）に示すように、バックカバー５の凹部５Ａに収納されている状態では、レンズ開口２Ａがディスプレイ３の背面方向を向いている。
【００１５】
図３に示すように、ディスプレイ３は、フロントパネル３Ａとディスプレイパネル（例えば、ＬＤＣなどのフラットパネルディスプレイ）３Ｂを備えており、それらの周囲が額縁枠４によって囲まれている。これにより、額縁枠４の内側がディスプレイ３の表示面３Ｅになっている。図１に示すように、額縁枠４の内側の表示面３Ｅは、矩形状になっており、矩形状の表示面の一辺３Ｅ１と平行に回転軸６が配置されている。また、図示の例では、表示面３Ｅの一辺３Ｅ１は、回転軸６よりも外側に配置されている。
【００１６】
図３に示す例では、バックカバー５内には、制御基板８などが配備されている。この場合、凹部５Ａは、制御基板８などの収容物を部分的に避けるように形成されており、凹部５Ａ内においても、バックカバー５は、ディスプレイ３の背面側を覆っている。
【００１７】
このような電子機器１は、プライベート画像（自取り画像）を取得する場合には、図１（ａ）に示すように、カメラユニット２をバックカバー５の外側に突出させた状態でレンズ開口２Ａをユーザーに向けて使用する。そして、プライベート画像を取得しない場合には、図２（ｂ）に示すように、カメラユニット２をバックカバー５の凹部５Ａ内に収納してレンズ開口２Ａをディスプレイ３の背面側に向ける。
【００１８】
これにより、電子機器１は、基本的にプライベート画像を取得する場合だけ、図１（ａ）に示す状態にして、カメラユニット２のレンズ開口２Ａをユーザーに向けるようにすれば、図１（ｂ）に示す状態で、ネットワーク経由で悪意の外部操作がなされてカメラユニット２のカメラ機能が作動したとしても、プライベート画像が取得されることは無い。
【００１９】
また、駆動モータ７を備える電子機器１は、電子機器１からの信号で、駆動モータ７を駆動して、カメラユニット２を回動することができ、電子機器の動作信号に連動して、駆動モータ７を駆動させることができる。これによると、ユーザーの操作によってカメラユニット２を回動させる煩雑さが解消され、また、ユーザーの操作忘れで、カメラユニット２のレンズ開口２Ａをユーザー側に向けたまま、カメラ機能が作動可能な状態で放置されてしまうことを抑止することができる。
【００２０】
特に、電子機器がスリーブ状態になっている場合には、外観的には電源ＯＦＦのように見えるが、電子機器は作動可能な状態になっている。ネットワークに接続されている電子機器をスリーブ状態のまま放置していると、悪意の外部操作でカメラ機能が作動する可能性がある。これに対処するためには、電子機器のスリーブ動作に連動して駆動モータ７を動作させ、カメラユニット２を回動させる制御を行うことが有効である。これによると、ユーザーが電源を切り忘れてスリーブ状態が放置されている場合にも、カメラユニット２がスリーブ動作に連動してバックカバー５に収納された状態になるので、悪意の外部操作がなされたとしても、プライベート画像の流出を抑止することができる。
【００２１】
また、前述したスリーブ動作だけでなく、電子機器のカメラ機能が使用されていない状態を検知して、常時、カメラユニット２をバックカバー５に収納する制御を行うことで、より効果的にプライベート画像の流出を抑止することができる。そして、電子機器におけるカメラ撮影動作（カメラアプリへのアクセス操作）に連動して駆動モータ７を動作させ、カメラユニット２を回動させてバックカバー５から突出した状態にする制御を行うことで、ユーザーはストレス無くバックカバー５に収納されているカメラユニット２をプライベート画像が取得できる状態に切り替えることができる。
【００２２】
また、電子機器１は、カメラユニット２がバックカバー５から突出してディスプレイ３の表示面と同方向のレンズ開口２Ａを開放するので、ディスプレイ３の額縁枠４にレンズ開口用の孔を設けるスペースを確保する必要が無い。このため、図１に示すように、額縁枠４の一面のほぼ全体にディスプレイ３の表示面３Ｅを設けることができ、ディスプレイ３の表示面積をバックカバー５の前面に対して最大限に広げることができる。
【００２３】
特に、図１に示す例は、カメラユニット２を回転自在に支持する回転軸６が、ディスプレイ３の矩形状の表示面３Ｅの一辺３Ｅ１と平行に配置され、一辺３Ｅ１が回転軸６よりも外側に配置されているので、回動するカメラユニット２をディスプレイ３の背面側に配置して、ディスプレイ３の表示面３Ｅを広くすることができる。
【００２４】
また、薄厚のカメラユニット２を採用することで、図３に示すように、制御基板８等が内部に配備されるバックカバー５の厚さ内に、カメラユニット２の厚さを収めることができる。そして、カメラユニット２は、バックカバー５から突出させた状態では、プライベート画像を取得するインカメラとして利用し、バックカバー５に収納した状態では、周辺画像を取得するアウトカメラとして利用することができるので、一つのカメラユニット２でインカメラとアウトカメラの切り替えを行うことができる。これにより、電子機器１は、厚さの嵩張りを抑え、カメラユニット２の設置スペースを省スペース化することができる。
【００２５】
また、 カメラユニット２は、手動で任意に動作させることができてもよい。すなわち、駆動モータ７を駆動させることなく、ユーザーがカメラユニット２を手動で回転させるようにしてもよい。このようにすることで、例えば、ユーザーが意図していないときにカメラユニット２がバックカバー５から突出した状態となった場合であっても、ユーザーはカメラユニット２によって自身が撮影されないように、カメラユニット２を手動で凹部５Ａに収納させることができる。
【００２６】
また、 カメラユニット２が凹部５Ａに収納されている状態で、カメラユニット２の回転を制限するロック機構を有していてもよい。ロック機構を設けることで、悪意ある第三者が電子機器１を遠隔操作して、カメラユニット２をバックカバー５から突出した状態にしようとしても、ロック機構によってカメラユニット２の回転を制限することができる。特に、ロック機構の解除操作が電子機器１の制御と切り離された状態（例えばロック機構が手動でしか操作できない状態）とすれば、カメラユニット２が遠隔操作されたとしても、第三者はロック機構のロックを解除できないため、ユーザーを撮影することはできない。
【００２７】
また、ロック機構を用いることで、カメラユニット２が凹部５Ａから浮き上がることを防ぐことができる。例えば、駆動モータ７のディテントトルクで収納状態を保持できない場合に、カメラユニット２が凹部５Ａから浮き上がる可能性があるが、ロック機構を用いることでこのような浮き上がりを防止することも出来る。
【００２８】
なお、他の実施形態では、カメラユニット２を回転させる機構にギアなどが用いられてもよい。
【００２９】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。また、上述の各実施の形態は、その目的及び構成等に特に矛盾や問題がない限り、互いの技術を流用して組み合わせることが可能である。
【符号の説明】
【００３０】
１：電子機器，２：カメラユニット，２Ａ：レンズ開口，２Ｂ：被駆動ギア，
３：ディスプレイ，３Ａ：フロントパネル，３Ｂ：ディスプレイパネル，
３Ｅ：表示面，３Ｅ１：一辺，
３Ａ：フロントパネル，３Ｂ：ディスプレイパネル（ＬＣＤ）
４：額縁枠，５：バックカバー，５Ａ：凹部，
６：回転軸，７：駆動モータ（駆動部），７Ａ：駆動ギア，８：制御基板
【図１】
2020160317.tif 000003
【図２】
2020160317.tif 000004
【図３】
2020160317.tif 000005